【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】時間標準となるクロックを生成する発振回路と、前記クロックを分周する分周回路と、前記分周回路で生成された分周クロックを用いて、時刻指示のための信号を作成する時刻制御回路と、前記発振回路、分周回路および時刻制御回路に供給する電源を制御するための電源制御回路を有する電子時計において、前記発振回路と分周回路と時刻制御回路および電源制御回路は、ＳＯＩプロセスで形成されたＳＯＩ−ＩＣで構成されていることを特徴とする電子時計。
【請求項２】前記ＳＯＩ−ＩＣは、部分的にボディの電位を浮かせた、フローティングボディ型であることを特徴とする、請求項１に記載の電子時計。
【請求項３】請求項２に記載の電子時計において、少なくとも発振回路は、前記部分的にボディの電位を浮かせたフローティングボディ型ではないことを特徴とする電子時計。
【請求項４】請求項２に記載の電子時計において、少なくとも発振回路とアナログ回路は、前記部分的にボディの電位を浮かせたフローティングボディ型ではないことを特徴とする電子時計。
【請求項５】前記ＳＯＩ−ＩＣは、部分的にボディの電位を浮かせたフローティングボディ型かつ部分空乏層型であることを特徴とする、請求項１に記載の電子時計。
【請求項６】前記時間標準となるクロックを生成する発振回路の周波数が１ＭHz以下であることを特徴とする請求項２乃至請求項５のいずれかに記載の電子時計。
【請求項７】前記時間標準となるクロックを生成する発振回路の周波数が３２，７６８Hzであることを特徴とする請求項２乃至請求項５のいずれかに記載の電子時計。
【請求項８】前記ＳＯＩ−ＩＣは、DT（Dynamic Threshold）型のＳＯＩ−ＩＣであることを特徴とする、請求項１に記載の電子時計。
【請求項９】前記ＳＯＩ−ＩＣは、部分的にDT（Dynamic Threshold）型であることを特徴とする、請求項１に記載の電子時計。
【請求項１０】請求項８乃至請求項９に記載の電子時計において、前記DT（ Dynamic Threshold）型以外の部分はフローティングボディで構成されたことを特徴とする電子時計。
【請求項１１】請求項１乃至請求項１０のいずれかに記載の電子時計において、ＳＯＩプロセスで形成された領域は一種類或は２種類以上の定電圧値で駆動されることを特徴とする電子時計。
【請求項１２】請求項１から請求項１１のいずれかに記載された電子時計は、機械的エネルギ源と、輪列を介して連結される前記機械的エネルギ源によって駆動されて誘起電力を発生して第１及び第２の端子から電気エネルギを供給する発電機と、前記輪列に結合された指針と、前記電気的エネルギにより駆動されて前記発電機の回転周期を制御する回転制御手段とを備えることを特徴とする電子時計。
【請求項１３】請求項１から請求項１１のいずれかに記載された電子時計は、時計の使用者の動きによって回転する回転錘、および前記回転錘の回転運動を伝達する発電用輪列を具備する小型発電機と、前記小型発電機で発生した電気エネルギによって駆動されるステップモータと、前記ステップモータから指針に回転駆動力を伝達する時計用輪列を有する指針式電子時計であることを特徴とする電子時計。
【請求項１４】請求項１から請求項１１のいずれかに記載された電子時計は、光エネルギを電気的エネルギに変換する太陽電池等のエネルギ変換装置と、前記エネルギ変換装置で発生した電気エネルギによって駆動されるステップモータと、前記ステップモータから指針に回転駆動力を伝達する時計用輪列を有する指針式電子時計であることを特徴とする電子時計。
【請求項１５】請求項１から請求項１１のいずれかに記載された電子時計は、温度差で発電する発電装置と、前記発電装置で発生した電気エネルギによって駆動されるステップモータと、前記ステップモータから指針に回転駆動力を伝達する時計用輪列を有する指針式電子時計であることを特徴とする電子時計。
【請求項１６】請求項１３から請求項１５のいずれかに記載の電子時計において、前記電気エネルギによって駆動される被駆動装置と、前記時計が携帯されている携帯状態にあるか否かを検出する携帯検出装置と、前記携帯検出装置の検出結果に基づいて、前記電子機器が非携帯状態にある場合に前記被駆動装置の消費電力を低減させるべく、前記被駆動装置の動作モードを通常動作モードから節電モードに移行させるモード移行制御装置とを備えたことを特徴とする電子時計。
【請求項１７】請求項１６に記載の電子時計において、前記節電モードへ移行後、再び前記通常モードへ復帰させるに際し、前記節電モードへの移行時から前記復帰時までの経過時間の動作状態を復帰させる動作状態復帰装置を備えたことを特徴とする電子時計。
【手続補正２】
【補正対象書類名】明細書
【補正対象項目名】０００６
【補正方法】変更
【補正の内容】
【０００６】
請求項１は、本発明の基本構成を示し、時間標準となるクロックを生成する発振回路と、前記クロックを分周する分周回路と、前記分周回路で生成された分周クロックを用いて、時刻指示のための信号を作成する時刻制御回路と、前記発振回路、分周回路および時刻制御回路に供給する電源を制御するための電源制御回路を有する電子時計において、前記発振回路と分周回路と時刻制御回路および電源制御回路は、ＳＯＩプロセスで形成されたＳＯＩ−ＩＣで構成されていることを特徴とする。
上記構成によれば、ＳＯＩで形成されたＩＣを用いることにより、消費電力が従来に比べ大幅に削減されるという効果を有する。
請求項２は、請求項１において、前記ＳＯＩ−ＩＣは、部分的にボディの電位を浮かせた、フローティングボディ型であることを特徴とする。
請求項３は、請求項２において、少なくとも発振回路は、前記部分的にボディの電位を浮かせたフローティングボディ型ではないことを特徴とする。
請求項４は、請求項２において、少なくとも発振回路とアナログ回路は、前記部分的にボディの電位を浮かせたフローティングボディ型ではないことを特徴とする。
請求項５は、請求項１において、 前記ＳＯＩ−ＩＣは、部分的にボディの電位を浮かせたフローティングボディ型かつ部分空乏層型であることを特徴とする。
請求項６は、請求項２乃至請求項５のいずれかに記載の電子時計において、前記時間標準となるクロックを生成する発振回路の周波数が１ＭHz以下であることを特徴とする。
請求項７は、請求項２乃至請求項５に記載のいずれかの電子時計において、前記時間標準となるクロックを生成する発振回路の周波数が３２，７６８Hzであることを特徴とする。
請求項８は、請求項１において、前記ＳＯＩ−ＩＣは、DT（Dynamic Threshold）型のＳＯＩ−ＩＣであることを特徴とする。
請求項９は、請求項１において、前記ＳＯＩ−ＩＣは、部分的にDT（Dynamic Threshold）型であることを特徴とする。
請求項１０は、請求項８乃至請求項９に記載の電子時計において、前記DT（ Dynamic Threshold）型以外の部分はフローティングボディで構成されたことを特徴とする。
請求項１１は、請求項１乃至請求項１０のいずれかに記載の電子時計において、ＳＯＩプロセスで形成された領域は一種類或は２種類以上の定電圧値で駆動されることを特徴とする。
請求項１２は、請求項１から請求項１１のいずれかに記載された電子時計は、機械的エネルギ源と、輪列を介して連結される前記機械的エネルギ源によって駆動されて誘起電力を発生して第１及び第２の端子から電気エネルギを供給する発電機と、前記輪列に結合された指針と、前記電気的エネルギにより駆動されて前記発電機の回転周期を制御する回転制御手段とを備えることを特徴とする。  
請求項１３は、請求項１から請求項１１のいずれかに記載された電子時計は、時計の使用者の動きによって回転する回転錘、および前記回転錘の回転運動を伝達する発電用輪列を具備する小型発電機と、前記小型発電機で発生した電気エネルギによって駆動されるステップモータと、前記ステップモータから指針に回転駆動力を伝達する時計用輪列を有する指針式電子時計であることを特徴とする。
請求項１４は、請求項１から請求項１１のいずれかに記載された電子時計は、光エネルギを電気的エネルギに変換する太陽電池等のエネルギ変換装置と、前記エネルギ変換装置で発生した電気エネルギによって駆動されるステップモータと、前記ステップモータから指針に回転駆動力を伝達する時計用輪列を有する指針式電子時計であることを特徴とする。
請求項１５は、請求項１から請求項１１のいずれかに記載された電子時計は、温度差で発電する発電装置と、前記発電装置で発生した電気エネルギによって駆動されるステップモータと、前記ステップモータから指針に回転駆動力を伝達する時計用輪列を有する指針式電子時計であることを特徴とする。
請求項１６は、請求項１３から請求項１５のいずれかに記載の電子時計において、前記電気エネルギによって駆動される被駆動装置と、前記時計が携帯されている携帯状態にあるか否かを検出する携帯検出装置と、前記携帯検出装置の検出結果に基づいて、前記電子機器が非携帯状態にある場合に前記被駆動装置の消費電力を低減させるべく、前記被駆動装置の動作モードを通常動作モードから節電モードに移行させるモード移行制御装置とを備えたことを特徴とする。
請求項１７は、請求項１６に記載の電子時計において、前記節電モードへ移行後、再び前記通常モードへ復帰させるに際し、前記節電モードへの移行時から前記復帰時までの経過時間の動作状態を復帰させる動作状態復帰装置を備えたことを特徴とする。
【手続補正３】
【補正対象書類名】明細書
【補正対象項目名】００１３
【補正方法】変更
【補正の内容】
【００１３】
（実施例４）
図７に、ゼンマイを機械的エネルギ源とし、輪列を介して連結される機械的エネルギによって駆動されて誘起電圧を発生して第１及び第２の端子から電気的エネルギを供給する発電機と、輪列に結合された指針と、電気的エネルギにより駆動されて発電機の回転周期を制御する回転制御手段とを備える電子制御式機械時計の回路ブロック図を示す。図７において、７１は水晶振動子及び水晶発振回路、７２は発振回路からの発振信号を分周する分周回路、７５は発電コイル、７４は発電電流を整流する整流回路兼発電機へブレーキ制御信号を送出するブレーキ制御回路、７８は発電電流を蓄えるコンデンサ等の蓄電装置、７６は蓄電装置の電圧を定電圧化してＩＣの内部回路に供給するための定電圧回路、７７は発電ロータの回転数や位相を検出するロータ回転検出回路、７３は分周回路７２からの信号とロータ回転検出回路７７からの信号を比較して、ロータ回転速度を制御するためのブレーキ量を決定するロータ速度制御回路である。
図８に、電子制御式機械時計のゼンマイトルクと発電量の関係を示す。Ａ点はゼンマイがフル巻の状態である。パラメータとして消費電流が８０ｎＡのＣＭＯＳバルクＩＣと消費電流が６０ｎＡのＳＯＩ−ＩＣの時の特性を示す。ゼンマイがほどけるにつれて発電電圧が低下し、バルクＩＣではＢ点でバルクＩＣの最低動作電圧：Ｖｓｔｏｐ１より小さくなってしまう。この場合の電子制御式機械時計の持続時間は、Ａ点とＢ点の時間間隔＝ｔ１になる。これに対し、ＳＯＩ−ＩＣのときは、バルクＩＣにくらべ消費電流が小さいため、発電電圧はバルクＩＣに比べて高い状態で維持され、Ｖｓｔｏｐ１までの持続時間はｔ２に延長される。さらに、ＳＯＩ−ＩＣは、最低動作電圧がバルクＩＣよりも低く、ＳＯＩ−ＩＣの最低動作電圧はＶｓｔｏｐ１よりも低い、Ｖｓｔｏｐ２になる。発電電圧がＶｓｔｏｐ２よりも低くなる点はＤ点になる。このときの持続時間はＡ点からＤ点の時間間隔＝ｔ３で、ｔ３＞ｔ２＞ｔ１の関係が成り立つ。つまり、ＳＯＩ−ＩＣを使用することで、長い持続時間を確保することができる。実験的に得られている結果からは、例えばバルクＩＣの持続時間：ｔ１＝４０時間のとき、ＳＯＩ−ＩＣの持続時間：ｔ３＝５０時間となり、時計の動作持続時間を１０時間延長できることが分かっており、これは持続時間で２０％の効果である。
【手続補正４】
【補正対象書類名】明細書
【補正対象項目名】００１５
【補正方法】変更
【補正の内容】
【００１５】
（実施例６）
近年、実施例５に示した発電装置を備えた時計において、ユーザーの使用状態に応じて節電モードと通常動作モードを切り替えることができる電子時計が製品化されている。その目的は、例えば非携帯状態にある場合には、指針等の駆動装置の動作を停止させ消費電力を低減させるような制御回路を実現することで、計時カウンタのみを長時間にわたり動作させることにある。上記のような電子時計においては、例えば節電モードへ移行後、再び通常モードへ復帰させるに際し、節電モードへの移行時から復帰時までの経過時間に、前記指針等の駆動装置を継続して動作させた場合と同一の動作状態に復帰させる機能を備えている。節電モードでは駆動装置での消費電力が極めて小さいため、計時カウンタの持続時間はほぼＩＣの消費電流に反比例することになる。実際の例として、２次電源の容量が３ｍＡＨのとき、持続時間はバルクＣＭＯＳ−ＩＣの節電モードでの消費電流を８０ｎＡとすると、節電モードでの動作持続時間は約４年であるのに対し、ＳＯＩ−ＩＣの節電モードでの消費電流を４０ｎＡとすると、ＣＭＯＳ−ＩＣの約２倍の８年もの間、計時カウンタの動作を継続することができる。一方で、現実的には節電モードでの動作持続時間は４年あれば問題ないと思われるが、他の例として、２次電池の容量の小さい女性持ちの電子時計においては、その効果はより顕著であり、例として２次電源の容量が０．７ｍＡＨの容量のとき、前記バルクＣＯＳ−ＩＣでは節電モードで約１年しかない持続時間がＳＯＩ−ＩＣでは２年になり、２年間非携帯状態が続いても、再び通常モードに復帰し、指針等の駆動装置を継続して動作させた場合と同一の動作状態に復帰させる事ができるという効果を有する。